(57)【要約】【課題】  測量機器や反射プリズムの変更に伴う測量誤差を低減するプリズム器具装置の提供を図る。【解決手段】  脚立に固定する略Ｕ字状のプリズムホルダーと、前記プリズムホルダーの略Ｕ字状の両側壁中央部に外方に向かって突出固定した左右の円柱ガイド軸と、前記円柱ガイド軸の左右半円弧部分を縦方向に切削して形成した左右のスライド扁平面と、前記プリズムホルダーの略Ｕ字状内部に左右の前記円柱ガイド軸を介して収納支持したプリズム器具と、前記プリズム器具の左右側部に前後方向に形成したスライド転回用のスリットと、スリットの複数位置に形成したプリズム器具転回用の円形孔部と、スリットの各円形孔部間を連通し、円柱ガイド軸のスライド扁平面のみ挿通可能な幅員としたスライド部とより構成することで測量機器や反射プリズムの変更に伴う測量誤差を低減したプリズム器具装置を提供できる。【選択図】図１
2019045293.tif 000002
【特許請求の範囲】
【請求項１】
脚立に固定する略Ｕ字状のプリズムホルダーと、
前記プリズムホルダーの略Ｕ字状の両側壁中央部に外方に向かって突出固定した左右の円柱ガイド軸と、
前記円柱ガイド軸の左右半円弧部分を縦方向に切削して形成した左右のスライド扁平面と、
前記プリズムホルダーの略Ｕ字状内部に左右の前記円柱ガイド軸を介して収納支持したプリズム器具と、
前記プリズム器具の左右側部に前後方向に形成したスライド転回用のスリットと、
スリットの複数位置に形成したプリズム器具転回用の円形孔部と、
スリットの各円形孔部間を連通し、円柱ガイド軸のスライド扁平面のみ挿通可能な幅員としたスライド部と
より構成したことを特徴とする測量用のプリズム器具装置。
【請求項２】
前記プリズム器具の形状を円筒形状又はＨ形状としたことを特徴とする請求項１に記載の測量用のプリズム器具装置。
【発明の詳細な説明】
【技術分野】
【０００１】
本発明は、測量用プリズムの位置調整が容易で正確に行えるプリズム器具装置に関する。
【背景技術】
【０００２】
従来の測量技術はレーザー光線を使用して測量地点と観測地点との距離及び角度を測定しており、測量地点のターゲットとして入射した光を入射した方向に反射するコーナーキューブリフレクター構造を有した反射プリズムを使用している。
【０００３】
この反射プリズムは観測地点に設けた三脚の頂部に載置固定するものであるが、反射プリズムとレーザー光線を放射する測量機器とは一対の関係であり測量機器が変更されるとその測量機器に応じて反射プリズムの測量機器に対する前後位置を調整する必要がある。
【０００４】
また、測量機器が備えている自動視準機能では反射プリズムのプリズム頂点部が測量地点の垂直直線上に存在しないと測量結果に誤差を生じるため、反射プリズムを変更した際はその反射プリズムのプリズム頂点部の位置を測量地点に合致するように調整する必要がある。
【０００５】
下記特許文献１では、光波測距儀から照射されるレーザー光を入射した方向へ反射する上部及び下部プリズムをプリズム収容体内に収容し、このプリズム収容体の右側面に両プリズムを測量地点のポールに対して取り付けるための取り付け機構を回動自在に設ける。この構成によれば、取り付け機構を回動すると、ポールと両プリズムとの間の距離が変更され測量機器を変更した際の測定誤差を低減できるようにしている。
【先行技術文献】
【特許文献】
【０００６】
【特許文献１】特開平１０−２６６６２号公報
【発明の概要】
【発明が解決しようとする課題】
【０００７】
しかし、上記特許文献１では所定の支持ポールに対して位置変更が可能なプリズム収容体を取り付けているため、測量機器を変更した際にその測量機器に対応した位置関係に反射プリズムの位置を変更することは可能だが、自動視準による測量誤差に対応することは困難であった。
【０００８】
そこで、本発明では測量機器の変更及び測量機器の自動視準に対応した反射プリズムの位置調整を容易で正確に実現できるプリズム器具装置を提供することを目的とする。
【課題を解決するための手段】
【０００９】
本発明の測量用のプリズム器具装置では、脚立に固定する略Ｕ字状のプリズムホルダーと、このプリズムホルダーの略Ｕ字状の両側壁中央部に外方に向かって突出固定した左右の円柱ガイド軸と、この円柱ガイド軸の左右半円弧部分を縦方向に切削して形成した左右のスライド扁平面と、プリズムホルダーの略Ｕ字状内部に左右の前記円柱ガイド軸を介して収納支持したプリズム器具と、このプリズム器具の左右側部に前後方向に形成したスライド転回用のスライド部と、スライド部の複数位置に形成したプリズム器具転回用の円形孔部と、スライド部の各円形孔部間を連通し、円柱ガイド軸のスライド扁平面のみ挿通可能な幅員としたスリットと、より構成した。
【００１０】
また、本発明の測量用のプリズム器具装置では、前記プリズム器具の形状を円筒形状又はＨ形状としたことを特徴とする。
【発明の効果】
【００１１】
本発明の測量用のプリズム器具装置によれば、脚立に固定する略Ｕ字状のプリズムホルダーと、このプリズムホルダーの略Ｕ字状の両側壁中央部に外方に向かって突出固定した左右の円柱ガイド軸と、この円柱ガイド軸の左右半円弧部分を縦方向に切削して形成した左右のスライド扁平面と、プリズムホルダーの略Ｕ字状内部に左右の前記円柱ガイド軸を介して収納支持したプリズム器具と、このプリズム器具の左右側部に前後方向に形成したスライド転回用のスライド部と、スライド部の複数位置に形成したプリズム器具転回用の円形孔部と、スライド部の各円形孔部間を連通し、円柱ガイド軸のスライド扁平面のみ挿通可能な幅員としたスリットと、より構成したので、スライド部と円柱ガイド軸を介して所望の位置にプリズム器具を正確かつ簡単にセットすることができる。また、前後位置の調整がスライド扁平面とスリットを介して行われるために移動時に幅員方向でぶれることがない。また、一旦所望のプリズム器具転回用の円形孔部に到達し水平方向に転回すると円形孔部に連通したスリットに円柱ガイド軸が侵入できず、位置固定したプリズムが所望の位置からずれることがない。
【００１２】
また、本発明の測量用のプリズム器具装置では、プリズム器具の形状を円筒形状またはＨ形状としたので、反射プリズムの外観形状に依らずプリズム器具に反射プリズムを装着することができる。
【図面の簡単な説明】
【００１３】
【図１】第１実施例のプリズム固定装置を示す斜視図である。
【図２】第１実施例のプリズムホルダーを示す正面図である。
【図３】第１実施例のプリズムホルダーを示す側面図である。
【図４】第１実施例のプリズムホルダーに取り付けるブラケットを示す正面図である。
【図５】第１実施例のプリズム器具を示す斜視図である。
【図６】第１実施例のプリズム器具を示す天面図である。
【図７】第１実施例の円柱ガイド軸を示す図である。
【図８】第１実施例の円柱ガイド軸を示す図である。
【図９】第２実施例のプリズム器具を示す斜視図である。
【図１０】第２実施例のプリズム器具を示す天面図である。
【図１１】第１実施例のプリズム固定装置の位置変更の方法を示す図である。
【発明を実施するための最良の形態】
【００１４】
この発明は、脚立に固定する略Ｕ字状のプリズムホルダーと、このプリズムホルダーの略Ｕ字状の両側壁中央部に外方に向かって突出固定した左右の円柱ガイド軸と、この円柱ガイド軸の左右半円弧部分を縦方向に切削して形成した左右のスライド扁平面と、プリズムホルダーの略Ｕ字状内部に左右の前記円柱ガイド軸を介して収納支持したプリズム器具と、このプリズム器具の左右側部に前後方向に形成したスライド転回用のスライド部と、スライド部の複数位置に形成したプリズム器具転回用の円形孔部と、スライド部の各円形孔部間を連通し、円柱ガイド軸のスライド扁平面のみ挿通可能な幅員としたスリットと、より構成し、さらにプリズム器具の形状を円筒形状又はＨ形状としたことを要旨とする。
【００１５】
以下、本発明の実施形態について図面に基づいて詳説する。
【００１６】
図１は本発明の第１実施例にかかるプリズム器具装置１００の概略構成図である。プリズム器具装置１００は、測量地点に載置される支持ポールに取り付けるためのプリズムホルダー１０と、このプリズムホルダー１０に固定され反射プリズムＰを取り付けるためのプリズム器具２０と、プリズムホルダー１０及びプリズム器具２０を係合するための円柱ガイド軸３０と、円柱ガイド軸３０を嵌め合わせて固定するための蝶ナット４０と、で構成している。
【００１７】
プリズムホルダー１０は、図２,３に示すように正面視略Ｕ字形状であり、このＵ字形状の両先端部近傍に長孔形状に穿設したネジ孔１１,１１を形成し、さらにＵ字形状の下端部略中央部に略円形状のねじ切り孔１２を設けている。
このねじ切り孔１２には、図４に示すように略円柱状で上端部にねじ切り部１４を設けたブラケット１３を係合固定している。
【００１８】
また、ブラケット１３の形状は略円柱状としているがプリズムホルダー１０を支持するポール（図示せず）に固定する形状によってブラケット１３の形状を変化させることが可能であり、例えば、ブラケット１３を略円錐形状としても良い。
【００１９】
プリズム器具２０は図５,６に示すように、略円柱形状で中空部２４を有しており、外周面上には対向する向きに略板状のスライド部２１,２１を形成している。また、プリズム器具２０の中空部２４には、プリズム器具２０の長手方向略中央部に中空部２４を閉塞するように底部２５が形成されている。
【００２０】
各スライド部２１は短手方向略中央部に長手方向に向かって形成した細長のスリット２２と、このスリット２２の両端部及びいずれか一端部の近傍に設けた３箇所の円形孔部２３―１,２３―２,２３−３で構成している。
【００２１】
スリット２２は細長の穿設部であり、後述する円柱ガイド軸３０に形成したスライド扁平面３２と略同等の幅員としている。また、円形孔部２３―１,２３―２,２３−３はそれぞれ略円形状に穿設しており、後述する円柱ガイド軸３０に形成したスライド扁平面３２と略同径としている。
【００２２】
さらに、円形孔部２３―１,２３―２,２３−３は、スリット２２の一端部に形成した円形孔部２３−１を基点としてスリット２２に沿って３０ｍｍ離れた位置に円形孔部２３−２を形成し、さらに円形孔部２３−１を基点としてスリット２２に沿って４０ｍｍ離れた位置に円形孔部２３−３を形成している。
なお、本実施例ではプリズム調整距離を３０ｍｍ及び４０ｍｍに合わせているが、本発明はこれに限定されるものではない。
【００２３】
また、底部２５は図６に示すように正面視略円形で各スライド部２１の近傍を縦方向に切削して長孔形状としており、この切削端部２６,２６とプリズム器具２０の内側面との間に通過孔２７,２７を形成している。また、底部２５の略中央部には略円形でねじ切りした固定孔２８を形成している。
【００２４】
各通過孔２７は後述する円柱ガイド軸３０がスライド部２１に形成したスリット２２を移動する際に円柱ガイド軸３０の頭部３１が干渉しないように設けられた空間である。
【００２５】
円柱ガイド軸３０は図７,８に示すように特殊六角ボルトであり、六角形状の頭部３１と、この頭部３１に隣接する略円形のネジ部の左右半円弧部を縦方向に切削して形成した長孔形状のスライド扁平面３２と、で構成している。
【００２６】
このように構成されたプリズム器具装置１００は、プリズムホルダー１０のネジ孔１１にプリズム器具２０のいずれかの円形孔部２３−１,２３−２,２３−３の位置を合わせ、プリズム器具２０の中空部２４より該円形孔部２３−１,２３−２,２３−３に円柱ガイド軸３０のスライド扁平面３２を挿通し、ネジ孔１１より突出したスライド扁平面３２を蝶ナット４０に螺合することで形成される。
【００２７】
次にプリズム固定装置１００の第２実施例として図９,１０に示すようにプリズム器具２０をＨ型形状としたプリズム器具装置１００´について説明する。なお、その他の構成については第1実施例と同様であるため重複説明は適宜省略する。
【００２８】
第２実施例におけるプリズム器具５０は、正面視略Ｈ型形状でありＨ形状の両側辺の対向する向きに略板状のスライド部５１,５１を形成し、更に各スライド部５１の間に略板状のプリズム固定部５４を横架している。
【００２９】
各スライド部５１は短手方向略中央部に長手方向に向かって形成した細長のスリット５２と、このスリット５２の両端部及びいずれか一端部の近傍に設けた３箇所の円形孔部５３−１,５３−２,５３−３で構成している。
【００３０】
スリット５２は細長の穿設部であり、前述の円柱ガイド軸３０に形成したスライド扁平面３２と略同等の幅員としている。また、円形孔部５３−１,５３−２,５３−３はそれぞれ略円形状に穿設しており、前述の円柱ガイド軸３０に形成したスライド扁平面３２と略同径としている。
【００３１】
さらに、円形孔部５３−１,５３−２,５３−３は、スリット５２の一端部に形成した円形孔部５３−１を基点としてスリット５２に沿って３０ｍｍ離れた位置に円形孔部５３−２を形成し、さらに円形孔部５３−１を基点としてスリット５２に沿って４０ｍｍ離れた位置に円形孔部５３−３を形成している。
なお、第２実施例においても位置変更距離を３０ｍｍ及び４０ｍｍに合わせているが、本発明はこれに限定されるものではない。
【００３２】
また、プリズム固定部５４の略中央部には略円形でねじ切りした固定孔５６を形成し、さらにプリズム固定部５４の両端部、すなわち各スリット部５１とプリズム固定部５４の連結部分には略半円形状の穿設孔である通過孔５５を形成しており、前述した円柱ガイド軸３０の頭部３１が通過できるようにしている。
【００３３】
このように構成されたプリズム器具装置１００´は、プリズムホルダー１０のネジ孔１１にプリズム器具５０のいずれかの円形孔部５３−１,５３−２,５３−３に位置を合わせ、プリズム器具５０の内側より円柱ガイド軸３０のスライド扁平面３２を挿通し、ネジ孔１１より突出したスライド扁平面３２を蝶ナット４０に螺合することで形成される。
【００３４】
本発明のプリズム器具装置１００,１００´の構成は上記の通りであり、該器具装置１００,１００´を使用して測量機器を変更した際や反射プリズムＰを変更した際の測量誤差を低減するためのプリズム器具２０の位置変更手順は次の第１〜４工程までの４つの工程によって行われる。ここでは、プリズム器具装置１００の構成にて位置変更手順を説明する。
なお、図１１（ａ）〜（ｄ）は、プリズム器具装置の位置変更手順を示す図面であり、上段の図が位置変更手順を示す側面図で、下段の図が図１１（ａ）〜（ｄ）の上段の図に対応したプリズム器具２０と円柱ガイド軸３０との位置関係を示す図である。
【００３５】
まず第１工程では、プリズムホルダー１０のねじ孔１１,１１の外部に位置する蝶ナット４０,４０を緩めて、プリズム器具２０をプリズムホルダー１０の内側で回動自在とする。
【００３６】
次に第２工程では、図１１（ｂ）に示すようにスリット２２をスライド扁平面３２が移動できるようにプリズム器具２０を縦方向に転回する。次いで、スライド部２１のスリット２２内に円柱ガイド軸３０の左右のスライド扁平面３２を挿入遊嵌してスリット２２に沿ってプリズム器具２０を縦方向に移動し所定の位置となる例えば円形孔部２３−２の位置まで変位する。
【００３７】
次に第３工程では、図１１（ｃ）に示すように第１工程と同様に円形孔部２３−２内で左右の円柱ガイド軸３０を中心としてプリズム器具２０を水平状態に転回する。このプリズム器具２０の水平位置状態がプリズム器具２０の調整固定位置となる。
【００３８】
次に第４工程では、図１１（ｄ）に示すように反射プリズムＰをプリズム器具２０の底部２５に形成した固定孔２８に螺着し、対向方向からの測量レーザー照射を反射プリズムＰが受けて測量が行われる。
【００３９】
なお、本発明は上述した実施形態に限られず、上述した実施形態の中で開示した各構成を相互に置換したり組合せを変更したりした構成、公知発明並びに上述した実施形態の中で開示した各構成を相互に置換したり組合せを変更したりした構成、等も含まれる。また、本発明の技術的範囲は上述した実施形態に限定されず、実用新案登録請求の範囲に記載された事項とその均等物まで及ぶものである。
【符号の説明】
【００４０】
Ｐ  反射プリズム
１００,１００´  プリズム器具装置
１０  プリズムホルダー
１１  ネジ孔
１２  ねじ切り孔
１３  ブラケット
１４  ねじ切り部
２０  プリズム器具
２１  スライド部
２２  スリット
２３−１,２３−２,２３−３  円形孔部
２４  中空部
２５  底部
２６  切削端部
２７  通過孔
２８  固定孔
３０  円柱ガイド軸
３１  頭部
３２  スライド扁平面
４０  蝶ナット
５０  プリズム器具
５１  スライド部
５２  スリット
５３−１,５３−２,５３−３  円形孔部
５４  プリズム固定部
５５  通過孔
５６  固定孔
【図１】
2019045293.tif 000003
【図２】
2019045293.tif 000004
【図３】
2019045293.tif 000005
【図４】
2019045293.tif 000006
【図５】
2019045293.tif 000007
【図６】
2019045293.tif 000008
【図７】
2019045293.tif 000009
【図８】
2019045293.tif 000010
【図９】
2019045293.tif 000011
【図１０】
2019045293.tif 000012
【図１１】
2019045293.tif 000013
【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
脚立に固定する略Ｕ字状のプリズムホルダーと、
前記プリズムホルダーの略Ｕ字状の両側壁中央部に外方に向かって突出固定した左右の
円柱ガイド軸と、
前記円柱ガイド軸の左右半円弧部分を縦方向に切削して形成した左右のスライド扁平面
と、
前記プリズムホルダーの略Ｕ字状内部に左右の前記円柱ガイド軸を介して収納支持した
プリズム器具と、
前記プリズム器具の左右側部に前後方向に形成したスライド転回用のスライド部と、
スライド部の複数位置に形成したプリズム器具転回用の円形孔部と、
スライド部の各円形孔部間を連通し、円柱ガイド軸のスライド扁平面のみ挿通可能な幅員
としたスリットと
より構成したことを特徴とする測量用のプリズム器具装置。
【請求項２】
前記プリズム器具の形状を円筒形状又はＨ形状としたことを特徴とする請求項１に記載
の測量用のプリズム器具装置。